(57)【特許請求の範囲】
【請求項１】
粘着テープロール（１３）を保持し、引き出した粘着テープをその粘着面を外側にして支持することができる筒状のテープ保持部（Ａ）を有する粘着テープクリーナーであって、
前記テープ保持部（Ａ）の前端孔部を一部塞ぐ正面板部（５）を備え、該正面板部（５）の上部かつ、前記粘着テープロール（１３）の下端よりも上位にテープガイド孔（９）を設けると共に下端にテープカッター部（１０）を設ける一方、前記テープ保持部（Ａ）の後端孔部を一部塞ぐ背面板部（６）を備え、前記粘着テープロール（１３）の下端を前記テープ保持部（Ａ）が押し付ける押し付け機構を有すると共に、前記背面板部（６）に粘着テープ先端を貼付するテープ挟持部（１１）を回動可能に設け、前記テープガイド孔（９）の孔縁と前記テープカッター部（１０）と前記テープ挟持部（１１）の３点で粘着テープの剥離面を支持することを特徴とした粘着テープクリーナー。
【発明の詳細な説明】
【技術分野】
【０００１】  この発明は抜け毛やゴミなどを粘着テープの粘着面に付着させて除去できるように構成した粘着テープクリーナーに関する。
【背景技術】
【０００２】  従来のシート状のＰ．Ｐ樹脂製の粘着テープクリーナーはカラフルなデザインで、軽量かつ、コンパクトな粘着テープクリーナーとして開示されていた。
そして、本出願人はこのような粘着テープクリーナーに関して、先に下記の特許文献１〜３に示す考案を開示している。
【先行技術文献】
【特許文献】
【０００３】
【特許文献１】意匠登録第１０８６７７０号
【特許文献２】実開平４−１２２５５６号
【特許文献３】実開平６−６３４６号
【発明の概要】
【発明が解決しようとする課題】
【０００４】  上記特許文献１〜３の粘着テープクリーナーは使用していると、少しずつ底面に沿わせた粘着テープが弛んでしまい、その都度、使用を中断して粘着テープを張り直さなければ、使えない欠点があった。
以上の問題点を解決すると共に粘着テープカッターとしても利用が可能な粘着テープクリーナーを提供する。
【課題を解決するための手段】
【０００５】  粘着テープロール（１３）を保持し、引き出した粘着テープをその粘着面を外側にして支持することができる筒状のテープ保持部（Ａ）を有する粘着テープクリーナーであって、
前記テープ保持部（Ａ）の前端孔部を一部塞ぐ正面板部（５）を備え、該正面板部（５）の上部にテープガイド孔（９）を設けると共に下端にテープカッター部（１０）を設ける一方、前記テープ保持部（Ａ）の後端孔部を一部塞ぐ背面板部（６）を備え、該背面板部（６）にテープ挟持部（１１）を回動可能に設け、前記テープガイド孔（９）の孔縁と前記テープカッター部（１０）と前記テープ挟持部（１１）の３点で粘着テープの剥離面を支持することを特徴とした構成である。【０００６】  好ましくは前記テープガイド孔（９）は前記粘着テープロール（１３）の下端よりも上位に存すること。【０００７】  好ましくは前記粘着テープロール（１３）の下端を前記テープ保持部（Ａ）が押し付ける押し付け機構を有すること。
【発明の効果】
【０００８】  テープガイド孔（９）付きの正面板部（５）と下端にテープカッター部（１０）を設けるだけで、粘着テープの剥離面をテープガイド孔（９）の孔縁とテープカッター部（１０）とテープ挟持部（１１）の３点で支持できるので粘着テープクリーナーを使用していても、少しずつ底面に沿わせた粘着テープが弛んでしまう欠点が、新たにストッパー機構を設けなくとも解決した。
更に、特許文献１〜３の従来品と異なり、前から後ろへと操作の流れが自然となる等、本粘着テープクリーナーは粘着テープカッターとしても扱い易いものとなる。
【図面の簡単な説明】
【０００９】
【図１】本発明の実施例１に係る粘着テープクリーナーを示す斜視図。
【図２】同、実施例１に係る粘着テープクリーナーを示す斜視図。
【図３】同、実施例１に係る粘着テープクリーナーを示す形態図。
【図４】同、実施例１に係る粘着テープクリーナーを示す形態図。
【図５】同、比較例１に係る粘着テープクリーナーを示す形態図。
【図６】同、比較例１に係る粘着テープクリーナーを示す形態図。
【図７】同、実施例１に係る粘着テープクリーナーを示す形態図。
【図８】同、実施例１に係る粘着テープクリーナーを示す展開図。
【図９】同、実施例２に係る粘着テープクリーナーを示す斜視図。
【図１０】同、実施例２に係る粘着テープクリーナーを示す形態図。
【図１１】同、実施例２に係る粘着テープクリーナーを示す展開図。
【図１２】同、実施例２に係る粘着テープクリーナーを示す形態図。
【発明を実施するための形態】
【００１０】  本発明を、更に詳しく記すと、上面部（１）の長手方向の両端部に、テープ保持脚（８）、（８）を設けるとともに、短手方向の側端部に、留め蓋部（７）を設け、かつ、前記上面部（１）の反対側に設けた底面部（２）の両端に設けた左側面部（３）及び、右側面部（４）とで、粘着テープロール（１３）を保持し、引き出した粘着テープをその粘着面を外側にして支持することができる筒状のテープ保持部（Ａ）を有する粘着テープクリーナーであって、
前記テープ保持部（Ａ）の前端孔部を一部塞ぐ正面板部（５）を備え、該正面板部（５）の上部にテープガイド孔（９）を設けると共に下端にテープカッター部（１０）を設ける一方、前記テープ保持部（Ａ）の後端孔部を一部塞ぐ背面板部（６）を備え、該背面板部（６）にテープ挟持部（１１）を回動可能に設け、前記テープガイド孔（９）の孔縁と前記テープカッター部（１０）と前記テープ挟持部（１１）の３点で粘着テープの剥離面を支持することを特徴とした構成である。
以下、本発明を実施するための形態について図１から図８に基づき説明する。
【実施例１】
【００１１】  図１を用いて本発明に適用される実施例１について説明する。
この図は上面部（１）の両端部に設けたテープ保持脚（８）、（８）をアーチ状に接続して、粘着テープロール（１３）を粘着テープクリーナーにセットする直前の斜視図である。【００１２】  図２は留め蓋部（７）の爪を、左側面部（３）の爪孔に差し込む直前の図であり、粘着テープロール（１３）のテープ先の粘着面が上に引き出せるようにセットして爪を留めればセットアップする。【００１３】  又、図３は粘着テープロール（１３）の紙管内にテープ保持脚（８）、（８）の下部を下方向に内設させてテープガイド孔（９）より粘着テープ先端を引き出してテープ挟持部（１１）に貼付した図である。【００１４】  そして、粘着テープクリーナーとしての使い方は、図３で示すように、粘着テープ先端の粘着面を上にしてテープガイド孔（９）より引き出したら、テープカッター部（１０）でカットせずに、そのまま、反転させて底面部（２）に沿わせて粘着テープ先を後端部の蝶番状のテープ挟持部（１１）に貼り付ける。
もし、粘着テープの弛みがあれば粘着テープロール（１３）を逆転してテープの弛みをとって、粘着面をゴミ等に押し付けて貼りつけて採る。【００１５】  又、汚れた粘着面を替えるには、つまみ部（１２）を引っ張ると、汚れていない粘着テープの先端が外れるので粘着面を２つ折りして、抜け毛やゴミなどを封じ込めてからテープカッター部（１０）でカットして捨てる。
本発明は粘着テープをカットすると、つまみ易い状態で粘着テープ先が常にテープガイド孔（９）から出る構造なので、いつでも次の使用への待機状態にある。【００１６】  このように、現在主流のローリング式の粘着テープクリーナーの粘着面の交換時の欠点と異なり、抜け毛やゴミで汚れた粘着面に指を触れず又、ゴミ箱の口などにも貼り付かずに捨てる事が出来る。
更に、ローリング式では、待機中は付属の収納ケースに収めないと、抜け毛やゴミで汚れた粘着面は見た目にも悪く、又、他のものに貼り付いて困るが、本発明では、そのようなことは無い。【００１７】  又、粘着テープクリーナーとしてではなく、粘着テープカッターとしての使い方は、テープガイド孔（９）から粘着テープ先端を好みの長さまで引き出したら、テープカッター部（１０）でカットして使う。
又、ダンボール箱等の梱包作業で直接貼り付ける時は、図４のように本体を上下逆さに持って市販の荷造り用テープカッターと同様に、貼り付けながら粘着テープを引き出して、カットしたいところで一旦止めて、粘着テープを本体のテープカッター部（１０）に当ててカットする。【００１８】  なお、従来品は粘着テープクリーナーを使用していると、少しずつ底面に沿わせた粘着テープが弛んでしまう欠点を課題にして、本発明は解決に取り組んだが、以上のように、テープガイド孔（９）に粘着テープを通すことで、クラフトテープだけの対応が、透明Ｐ．Ｐ粘着テープなどのテープをカットしても、テープ先がテープ巻癖や静電気等で戻って貼りつくことが無くなり、利用が可能になった。
このように、本粘着テープクリーナーでは、３点支持等の効果により、特許文献１〜３には無い有利な効果を奏したもので、粘着テープカッターとしても利用が可能な粘着テープクリーナーとなって提供される。【００１９】  なお、実施例１では正面板部（５）が底面部（２）に対して、粘着テープが切断刃に垂直に当たってカットし易いように、底面部（２）の前端部にテープカッター部（１０）を設けると良い。【００２０】＜比較例１＞
図５は、従来品を使用していると、少しずつ底面部（２）に沿わせた粘着テープが弛んでしまう課題を説明した図である。
一般の粘着テープの裏面は、粘着面を密着して巻いた粘着テープロール（１３）から容易に引き出せるように、裏面は摩擦力を少なくする剥離剤を施して剥離面は滑り易く加工されている。
更に、粘着面を抜け毛やゴミ等に押し付けて貼り付けて採るには、同時に床や衣服等にも粘着面が押し当たる。
これらの為、使用しているうちに、剥離剤を施した滑り易い粘着テープの裏面は、テープ保持部（Ａ）のスプリング効果で、粘着テープロール（１３）を底面部（２）に押し付ける効果と、粘着テープロール（１３）を掌で押さえているものの、従来品では底面部（２）の両端２点の折り返し点の摩擦抵抗だけでは粘着力に負けて、外側に引っ張られて弛んでしまっていた。【００２１】  しかし、実施例１では図６で示すように、前端孔部にテープガイド孔（９）付きの正面板部（５）と、その下端にテープカッター部（１０）を設けたので、従来品とは異なり、テープガイド孔（９）の孔縁の折り返し点も加えて支持点が３点となり、更に粘着テープロール（１３）から上り角度のθを持たせてテープガイド孔（９）まで引き出された粘着テープは、この上り角度θ効果とテープカッター部（１０）までの長さの距離抵抗も加わり、かなりの抵抗力が増大した。【００２２】  又、図７で示すように、テープ保持部（Ａ）のスプリング効果で底面部（２）に押し付ける効果は、使用しているうちに粘着テープロール（１３）の巻が小さくなってきても、固定式のテープ保持部とは異なり、テープガイド孔（９）へ引き出される上り角度θが常に一定しているので３点支持と、上り角度θ効果で保持される。
このように、粘着テープロール（１３）の回転の抵抗力も従来品の水平より、上り斜面を引っ張り上げる力の方が大きいことは明らかであり、この上り角度θと３点支持の効果で、底面部（２）の粘着テープが外側に引っ張る力が全抵抗力より少ないので、底面部（２）に沿わせた粘着テープが弛むことは無い。【００２３】  図８は上記の実施例１の展開基板による粘着テープクリーナーを示す展開図である。
なお、実施例１では、上面部（１）の両端部に設けたテープ保持脚（８）、（８）をアーチ状に接続したが、実施例２のように両端部を接続しない短い形状でも良い。
【実施例２】
【００２４】  そして、３点支持と上り角度θ効果で従来品の課題を解決した実施例１をコンパクト化した粘着テープクリーナーの実施例２について説明する。
この図９は粘着テープロール（１３）を粘着テープクリーナーにセットする直前の斜視図である。【００２５】  更に、図１０は粘着テープロール（１３）の紙管内に、上面部（１）の両端部に短く設けたテープ保持脚（８）、（８）を、下方向に内設させて、留め蓋部（７）の爪を、右側面部（４）の爪孔に差し込む直前の斜視図である。
そして、粘着テープロール（１３）のセット及び、粘着テープクリーナーと粘着テープカッターとしての使い方は実施例１と同様である。【００２６】  又、図１１は実施例２の展開基板による粘着テープクリーナーを示す展開図である。【００２７】  又、図１２は３点支持と上り角度θ効果で粘着テープクリーナーとして使用の実施例２の図。【００２８】  なお、この実施例２では正面板部（５）と背面板部（６）に傾きが有るので、粘着テープが切断刃に垂直に当たってカットし易いような形状のテープカッター部（１０）を正面板部（５）の下端部に刃先を立てて設けても良い。
しかし、この正面板部（５）や背面板部（６）の傾きはデザイン的なものであり、実施例１の形状のように直角でも良い。【００２９】  そして、テープカッター刃は金属又は、セラミックでも良く材質は限定しない。又、本発明品は粘着面を反転して使う為にカッター刃の目が細かくても目詰まりし辛い利点がある。【００３０】  又、正面板部（５）のテープガイド孔（９）を切り欠いた残りのスペース上で、テープ先端部を折り重ねると、荷物等に貼り付けた粘着テープを剥がす際、テープの先端が簡単につまめて剥がせる、つまみ部をつくることが出来る。【００３１】  又、底面部（２）の裏面にスポンジ等のクッション性のあるシート状の素材を貼ることにより、抜け毛やゴミ等の貼り付く量が増加するだけでなく、着用した衣服の上から操作しても衝撃を和らげる効果がある。【００３２】  又、特に、組み立て前のシート状のＰ．Ｐ樹脂製の展開基板は何枚でも重ねることが可能で、かさ張らずに保管や運搬にも便利で、組み立て後の製品に会社のロゴや名入りすれば、家庭や自動車内でも重宝するので長期に亘っての広告効果も増す。【００３３】  又、使用する粘着テープもテープ巾を主流の５０ｍｍから４０ｍｍに、紙管径も主流の規格である３インチから２インチに変えれば、コンパクトで、扱い良くなり販促商品としても喜ばれる。【００３４】  又、本粘着テープクリーナーはシート状のＰ．Ｐ樹脂製の展開基板で形成したものだが、射出成形で形成すれば、金型はビク型に比べて高価だが、量産しても長期使用に耐え、又、樹脂シートから切り抜く作業も要らず、しかも、抜きカスも出ない。
更に、材料に全く無駄が無いので、かなり安価に量産できる。
【符号の説明】
【００３５】  Ａ：テープ保持部
１：上面部
２：底面部
３：左側面部
４：右側面部
５：正面板部
６：背面板部
７：留め蓋部
８：テープ保持脚
９：テープガイド孔
１０：テープカッター部
１１：テープ挟持部
１２：つまみ部
１３：粘着テープロール
【要約】      （修正有）【課題】粘着テープクリーナーは使用していると、少しずつ底面に沿わせた粘着テープが弛んでしまい、その都度使用を中断して、粘着テープを張り直さなければ使えない欠点を解決すると共に粘着テープカッターとしても利用が可能な粘着テープクリーナーを提供する。【解決手段】粘着テープロールを保持し、引き出した粘着テープをその粘着面を外側にして支持することができる筒状のテープ保持部（Ａ）を有する粘着テープクリーナーであって、テープ保持部（Ａ）の前端孔部を一部塞ぐ正面板部（５）を備え、正面板部（５）の上部にテープガイド孔（９）を設けると共に下端にテープカッター部（１０）を設ける一方、テープ保持部（Ａ）の後端孔部を一部塞ぐ背面板部を備え、背面板部にテープ挟持部（１１）を回動可能に設け、テープガイド孔（９）の孔縁とテープカッター部（１０）とテープ挟持部（１１）の３点で粘着テープの剥離面を支持する。【選択図】図２【図１】
0006919096.tif 000002
【図２】
0006919096.tif 000003
【図３】
0006919096.tif 000004
【図４】
0006919096.tif 000005
【図５】
0006919096.tif 000006
【図６】
0006919096.tif 000007
【図７】
0006919096.tif 000008
【図８】
0006919096.tif 000009
【図９】
0006919096.tif 000010
【図１０】
0006919096.tif 000011
【図１１】
0006919096.tif 000012
【図１２】
0006919096.tif 000013